(57)【要約】【課題】表示パネルとタッチパネルとを備えた表示装置において、表示パネルの駆動信号による位置検出精度の低下を防止する。【解決手段】表示パネル１０と、透明導電膜２２を備え、前記表示パネル１０の観察者側に配置されたタッチパネル２０とを備えたタッチパネル付き表示装置の駆動装置であって、前記表示パネル１０の非表示期間中に、前記表示パネル１０の前記対向電極４に対して、前記タッチパネル２０に備えられた前記透明導電膜２２に印加される信号（タッチパネル駆動信号）と同じ信号（対向電極駆動信号）を印加する対向電極駆動手段１５を備えている。【選択図】図１
2007334606.tif 000002
【特許請求の範囲】
【請求項１】
対向する基板間に挟持された光学変調層と、前記基板に形成された複数の画素電極と、前記複数の画素電極に対向する対向電極とを備え、かつ前記各画素電極と対向電極との間に電圧を印加することによって前記光学変調層の光学特性を変化させて表示を行う表示パネルと、前記表示パネルの観察者側に配置され、かつ透明導電膜を有するタッチパネルとを備えた表示装置の駆動装置において、
前記表示パネルの非表示期間中に、前記対向電極に対して、前記タッチパネルの透明導電膜に印加される信号と同じ信号を印加する対向電極駆動手段を備えていることを特徴とする表示装置の駆動装置。
【請求項２】
前記表示パネルはアクティブマトリクス型の液晶表示パネルであり、
前記非表示期間は、垂直帰線期間であることを特徴とする請求項１に記載の表示装置の駆動装置。
【請求項３】
前記タッチパネルは、前記透明導電膜における異なる箇所にそれぞれ電気的に接続された複数のタッチパネル電極を備えており、
前記表示装置の駆動装置は、
前記複数のタッチパネル電極に位置検出用の交流電圧を供給するタッチパネル駆動手段と、
前記各タッチパネル電極に位置検出用の交流電圧を供給したときに各タッチパネル電極に流れる電流の検出結果に基づいて前記透明導電膜に対する接触点の位置を検出する位置検出手段とをさらに備え、
前記位置検出手段は、前記接触点の位置検出を、前記非表示期間中に行うことを特徴とする請求項１又は２に記載の表示装置の駆動装置。
【請求項４】
前記タッチパネル駆動手段は、
前記非表示期間以外の期間には、前記複数のタッチパネル電極に対する位置検出用の交流電圧の供給を中断することを特徴とする請求項３に記載の表示装置の駆動装置。
【請求項５】
前記位置検出手段は、
前記非表示期間以外の期間に、前記各タッチパネル電極に流れる電流の取り込みを中断する電流信号遮断手段を備えていることを特徴とする請求項３又は４に記載の表示装置の駆動装置。
【請求項６】
前記位置検出手段は、
前記透明導電膜に対する接触点が形成されていないときに前記各タッチパネル電極に流れる電流と、前記透明導電膜に対する接触点が形成されたときに前記各タッチパネル電極に流れる電流との差に基づいて、前記接触点の位置を検出することを特徴とする請求項３〜５のいずれか１項に記載の表示装置の駆動装置。
【請求項７】
対向する基板間に挟持された光学変調層と、前記基板に形成された複数の画素電極と、前記複数の画素電極に対向する対向電極とを備え、前記各画素電極と対向電極との間に電圧を印加することで前記光学変調層の光学特性を変化させて表示を行う表示パネルと、前記表示パネルの観察者側に配置されたタッチパネルとを備えた表示装置において、
請求項１〜６のいずれか１項に記載の表示装置の駆動装置を備えていることを特徴とする表示装置。
【請求項８】
対向する基板間に挟持された光学変調層と、前記基板に形成された複数の画素電極と、前記複数の画素電極に対向する対向電極とを備え、かつ前記各画素電極と対向電極との間に電圧を印加することによって前記光学変調層の光学特性を変化させて表示を行う表示パネルと、前記表示パネルの観察者側に配置され、かつ透明導電膜を有するタッチパネルとを備えたタッチパネル付き表示装置の駆動方法において、
前記表示パネルの非表示期間中に、前記対向電極に対して、前記タッチパネルの透明導電膜に印加される信号と同じ信号を印加することを特徴とする表示装置の駆動方法。
【発明の詳細な説明】
【技術分野】
【０００１】
本発明は、ペンや指などによって接触された表示面上の位置を検出するタッチパネルを備えた表示装置、表示装置の駆動装置及び駆動方法に関する。
【背景技術】
【０００２】
従来、表示面に指やペンなどが接触した位置を検出し、情報処理システムにユーザの意図を伝達するための入力装置であるタッチパネル（タッチセンサ）を備えた表示装置が普及している。タッチパネルに用いられる位置検出の方式としては、静電容量結合方式、抵抗膜方式、赤外線方式、超音波方式及び電磁誘導／結合方式などが知られている。
【０００３】
例えば、特許文献１には、静電容量結合方式のタッチセンサが開示されている。また、特許文献２には、抵抗膜方式のタッチセンサを備えた表示装置が開示されている。
【０００４】
一般に、タッチパネルを表示装置と一体的に使用する場合、タッチパネルは液晶パネルなどの表示パネルの前面（観察者側）に配置される。
【０００５】
ところが、この場合、タッチパネルが表示パネルからのノイズを受け、タッチパネルの位置検出精度が低下する場合がある。表示パネルからのノイズには、例えば、液晶パネルに備えられた対向電極に印加される共通電圧に起因してタッチパネルに備えられた位置検出用透明導電膜に発生する誘起電圧が含まれる。
【０００６】
このため、従来、液晶パネルに静電容量結合方式のタッチセンサを配置する場合、タッチセンサが備える位置検出用透明導電膜と液晶パネルとの間にシールド層を配置し、このシールド層により、タッチセンサが液晶パネルからのノイズによって悪影響を受けるのを抑制していた。あるいは、タッチセンサの位置検出用透明導電膜を液晶パネルから十分に遠ざけて配置することによって液晶パネルからのノイズによる影響を抑制していた。
【０００７】
また、特許文献２では、液晶駆動信号の出力変化タイミングとタッチパネルに対する接触位置に応じた出力データを取り込むタイミングとが一致するタイミングでは、接触位置に応じた出力データの取り込みを停止させ、異なるタイミングで接触位置に応じた出力データを取り込むようにすることによって、出力データに液晶パネルから発生するノイズが混入しないようにしている。
【特許文献１】特開昭５６−５００２３０号公報（公開日：１９８１年２月２６日）
【特許文献２】特開平９−１２８１４６号公報（公開日：１９９７年５月１６日）
【発明の開示】
【発明が解決しようとする課題】
【０００８】
しかしながら、上記従来の表示装置、表示装置の駆動装置及び駆動方法では、タッチセンサと液晶パネルとの間にシールド層を設けたり、タッチセンサの位置検出用透明導電膜を液晶パネルから遠ざけて配置したりすると、視差が大きくなるという問題がある。また、シールド層の存在により透過率が低下する場合がある。さらに、タッチセンサを設けた表示装置が大型化し、薄型化が困難になるという問題もある。
【０００９】
また、前記特許文献２の表示装置では、タッチパネルのサンプリングクロックと液晶駆動信号の出力変化タイミングとを常時監視する回路、及び、液晶駆動信号出力がタッチパネル信号にノイズとして混入するおそれがある場合に、タッチパネルのサンプリングクロックを変化させるための回路を設ける必要がある。このため、装置の回路構成が複雑化する。
【００１０】
また、前記特許文献２の技術は、液晶駆動信号に起因するノイズの発生が限られた期間にのみ発生することが前提になっており、液晶駆動信号に起因するノイズの発生が定常的に発生する場合にはノイズの影響を回避できない。例えば、図７に示すように、表示パネルの対向電極に印加する共通電圧の極性を１水平同期期間毎に反転させる液晶表示装置では、表示パネルとタッチパネルとの間の容量結合が強い場合には共通電圧の極性反転毎にタッチパネルの透明導電膜に誘起電圧が発生する。このため、特許文献２の技術ではノイズの影響を適切に除去できない場合がある。
【００１１】
本発明は、前記の問題点に鑑みてなされたものであり、その目的は、表示パネルとタッチパネルとを備えた表示装置において、表示パネルの対向電極の極性反転などに起因する誘起電圧により、タッチパネルの位置検出精度が低下することを防止し得る表示装置、表示装置の駆動装置及び駆動方法を提供することにある。
【課題を解決するための手段】
【００１２】
本発明の表示装置の駆動装置は、前記の課題を解決するために、対向する基板間に挟持された光学変調層と、前記基板に形成された複数の画素電極と、前記複数の画素電極に対向する対向電極とを備え、かつ前記各画素電極と対向電極との間に電圧を印加することによって前記光学変調層の光学特性を変化させて表示を行う表示パネルと、前記表示パネルの観察者側に配置され、かつ透明導電膜を有するタッチパネルとを備えた表示装置の駆動装置において、前記表示パネルの非表示期間中に、前記対向電極に対して、前記タッチパネルの透明導電膜に印加される信号と同じ信号を印加する対向電極駆動手段を備えていることを特徴としている。
【００１３】
また、本発明の表示装置の駆動方法は、前記の課題を解決するために、対向する基板間に挟持された光学変調層と、前記基板に形成された複数の画素電極と、前記複数の画素電極に対向する対向電極とを備え、かつ前記各画素電極と対向電極との間に電圧を印加することによって前記光学変調層の光学特性を変化させて表示を行う表示パネルと、前記表示パネルの観察者側に配置され、かつ透明導電膜を有するタッチパネルとを備えたタッチパネル付き表示装置の駆動方法において、前記表示パネルの非表示期間中に、前記対向電極に対して、前記タッチパネルの透明導電膜に印加される信号と同じ信号を印加することを特徴としている。
【００１４】
前記の構成によれば、対向電極駆動手段が、非表示期間中における所定の期間に、前記対向電極に、前記透明導電膜に印加される信号と同じ信号を印加する。
【００１５】
これにより、対向電極の電位とタッチパネルの透明導電膜との電位が同じになっているので、対向電極と透明導電膜との電位差に起因してタッチパネルに生じる誘起電圧を、位置検出精度を低下させない程度に小さくする。原理的には、前記誘起電圧を小さくするのみならず、ゼロにすることも可能となる。したがって、位置検出精度を高めることができる。
【００１６】
この結果、表示パネルとタッチパネルとを備えた表示装置において、表示パネルの対向電極の極性反転に起因する誘起電圧により、タッチパネルの位置検出精度が低下することを防止し得る表示装置の駆動装置及び駆動方法を提供することができる。
【００１７】
また、本発明の表示装置の駆動装置では、前記表示パネルはアクティブマトリクス型の液晶表示パネルであり、前記非表示期間は、垂直帰線期間であることが好ましい。なお、垂直帰線期間とは、上記液晶表示パネルの上部から下部までの画面を走査した後、次の画面の上部に戻るために必要な期間をいう。
【００１８】
また、本発明の表示装置の駆動装置では、前記タッチパネルは、前記透明導電膜における異なる箇所にそれぞれ電気的に接続された複数のタッチパネル電極を備えており、前記表示装置の駆動装置は、前記複数のタッチパネル電極に位置検出用の交流電圧を供給するタッチパネル駆動手段と、前記各タッチパネル電極に位置検出用の交流電圧を供給したときに各タッチパネル電極に流れる電流の検出結果に基づいて前記透明導電膜に対する接触点の位置を検出する位置検出手段とをさらに備え、前記位置検出手段は、前記接触点の位置検出を、前記非表示期間中に行うことが好ましい。なお、前記の接触点とは、例えば操作者が指やペン等を接触させた位置である。
【００１９】
前記の構成によれば、前記所定の期間に接触点の位置検出を行うので、位置検出時に、対向電極の極性反転に起因する誘起電圧が透明導電膜に生じることを防止できる。したがって、位置検出精度を高めることができる。
【００２０】
また、本発明の表示装置の駆動装置では、前記タッチパネル駆動手段は、前記非表示期間以外の期間には、前記複数のタッチパネル電極に対する位置検出用の交流電圧の供給を中断することが好ましい。
【００２１】
前記の構成によれば、前記所定の期間以外の期間に、前記複数のタッチパネル電極に対する位置検出用の交流電圧の供給を中断することによって、消費電力を低減できる。
【００２２】
また、本発明の表示装置の駆動装置では、前記位置検出手段は、前記位置検出手段は、
前記非表示期間以外の期間に、前記各タッチパネル電極に流れる電流の取り込みを中断する電流信号遮断手段を備えていることが好ましい。
【００２３】
前記の構成によれば、前記所定の期間以外の期間に、前記各タッチパネル電極に流れる電流の取り込みを中断することで、消費電力を低減できる。
【００２４】
また、本発明の表示装置の駆動装置では、前記位置検出手段は、前記透明導電膜に対する接触点が形成されていないときに前記各タッチパネル電極に流れる電流と、前記透明導電膜に対する接触点が形成されたときに前記各タッチパネル電極に流れる電流との差に基づいて、前記接触点の位置を検出することことが好ましい。
【００２５】
前記の構成によれば、透明導電膜に対する接触点が形成されていないときに前記各タッチパネル電極に電流が流れる場合であっても、正確に位置検出することができる。
【００２６】
本発明の表示装置は、前記の課題を解決するために、対向する基板間に挟持された光学変調層と、前記基板に形成された複数の画素電極と、前記複数の画素電極に対向する対向電極とを備え、前記各画素電極と対向電極との間に電圧を印加することで前記光学変調層の光学特性を変化させて表示を行う表示パネルと、前記表示パネルの観察者側に配置されたタッチパネルとを備えた表示装置において、前記したいずれかの駆動装置を備えていることを特徴としている。
【００２７】
前記の構成によれば、前記所定の期間において、対向電極の極性反転に起因する誘起電圧がタッチパネルに生じることを防止し、位置検出精度を高めることができる。
【発明の効果】
【００２８】
本発明の表示装置、表示装置の駆動装置及び駆動方法は、表示パネルの非表示期間中に、対向電極に対して、前記タッチパネルに備えられた前記透明導電膜に印加される信号と同じ信号を印加する対向電極駆動手段を備えている。
【００２９】
それゆえ、表示パネルとタッチパネルとを備えた表示装置において、表示パネルの対向電極の極性反転に起因する誘起電圧により、タッチパネルの位置検出精度が低下することを防止し得る表示装置の駆動装置及び駆動方法を提供するという効果を奏する。
【発明を実施するための最良の形態】
【００３０】
本発明の一実施形態について図１ないし図７に基づいて説明すれば、以下の通りである。図２は、本実施の形態の表示装置１００に備えられる表示パネル１０及びタッチパネル２０の概略構成を示す斜視図である。
【００３１】
同図に示すように、表示パネル１０は、対向配置された２枚の基板１・６と、基板１における基板６との対向面側に設けられたＴＦＴアレイ層２と、基板６における基板１との対向面側に設けられたカラーフィルタ層５及び対向電極層としての対向電極４と、上記ＴＦＴアレイ層２と対向電極４との間に挟持された光学変調層としての液晶層３とを備えている。上記基板１は、本発明のアクティブマトリクス基板としてなる一方、上記基板６は、本発明の対向基板としてなっている。
【００３２】
基板１・６は、ガラスあるいはプラスチック等の透明材料からなる。また、基板１・６の外面側つまり対向面とは反対側には、図示しない偏光板がそれぞれ設けられている。基板６の厚さは、例えば０．２ｍｍ以上１．１ｍｍ以下である。
【００３３】
また、基板６における基板１との対向面とは反対側の面には、タッチパネル基板２１及び透明導電膜２２を有するタッチパネル２０が設けられている。
【００３４】
図３（ａ）は、表示装置１００における表示パネル１０及びその駆動装置の構成を示すブロック図である。
【００３５】
図３（ａ）に示すように、表示装置１００は、コントロール回路１１、階調基準電圧生成回路１２、ソースドライバ１３、ゲートドライバ１４、対向電極駆動回路１５、タッチパネル駆動回路２３、及び位置検出装置２４を備えている。
【００３６】
コントロール回路１１には、外部インターフェース（Ｉ／Ｆ）を介して、表示映像信号など所定の信号が供給され、水平同期信号ＨＳＹＣ、垂直同期信号ＶＳＹＣ、及び画素クロックであるクロック信号ＣＬＫなどが入力される。また、コントロール回路１１は、前記入力された表示映像信号、水平同期信号ＨＳＹＣ、垂直同期信号ＶＳＹＣ、クロック信号ＣＬＫ等に基づいて各種制御信号を生成し、階調基準電圧生成回路１２、ソースドライバ１３、ゲートドライバ１４、対向電極駆動回路１５に出力する。なお、映像信号がアナログの場合には、クロック信号ＣＬＫは例えばコントロール回路１１の内部でＰＬＬ回路（Phase Locked Loop回路：位相同期ループ回路）によって生成されてもよい。
【００３７】
また、コントロール回路１１は、垂直同期信号ＶＳＹＣ、水平同期信号ＨＳＹＣ、及び必要に応じてクロック信号ＣＬＫをタッチパネル駆動回路２３に供給する。ただし、これに限らず、外部からタッチパネル駆動回路２３に、垂直同期信号ＶＳＹＣ、水平同期信号ＨＳＹＣ、及び必要に応じてクロック信号ＣＬＫが直接供給されてもよい。
【００３８】
階調基準電圧生成回路１２は、階調表示電圧を生成してソースドライバ１３に供給する。
【００３９】
ソースドライバ１３は、コントロール回路１１からの制御信号に基づくタイミングで各データ信号線にデータ信号を供給する。ゲートドライバ１４は、コントロール回路１１からの制御信号に基づくタイミングで各走査信号線に走査信号を供給する。なお、ソースドライバ１３及びゲートドライバ１４は、表示パネル１０の基板１上に実装又はモノリシックに形成されている。
【００４０】
対向電極駆動回路１５は、コントロール回路１１からの各種制御信号に基づいて、対向電極４の電位を制御する。なお、表示装置１００では、表示パネル１０の液晶層３に直流電圧が印加されるのを防止するため、及び、ソースドライバ１３、ゲートドライバ１４の各駆動用ＩＣに要求される耐圧を低減させるために、共通電圧の極性を一定周期毎に反転させるようになっている。具体的には、例えば１水平同期期間毎に反転（以下、「１Ｈ反転」という。）する。また、詳細は後述するが、表示装置１００では、画像表示の非表示期間中に、対向電極に対して、タッチパネル２０の透明導電膜２２に印加する信号と同じ信号を印加するようになっている。
【００４１】
図３（ｂ）は、上記本実施の形態の表示パネル１０の配線を示す概略図である。
【００４２】
図３（ｂ）に示すように、表示パネル１０におけるＴＦＴアレイ層２には、複数のデータ信号線ＳＬ１〜ＳＬｎ（ｎは２以上の任意の整数）と、各データ信号線ＳＬ１〜ＳＬｎにそれぞれ交差する複数の走査信号線ＧＬ１〜ＧＬｍ（ｍは２以上の任意の整数）とが設けられ、これらデータ信号線ＳＬ１〜ＳＬｎ及び走査信号線ＧＬ１〜ＧＬｍの各交差部毎に、画素１１０…が設けられている。
【００４３】
また、図４は、表示パネル１０における各画素１１０の等価回路図である。
【００４４】
各画素１１０には、図４に示すように、スイッチング素子１６、画素電極１７、及び対向電極４が設けられている。なお、スイッチング素子１６及び画素電極１７はＴＦＴアレイ層２に形成されており、対向電極４は基板６における基板１との対向面側に設けられている。
【００４５】
スイッチング素子１６としては、例えばＴＦＴ（薄膜トランジスタ）等が用いられ、スイッチング素子１６のゲート電極が走査信号線ＧＬｉ（ｉは１以上の任意の整数）に接続され、ソース電極がデータ信号線ＳＬｊ（ｊは１以上の任意の整数）に接続され、ドレイン電極が画素電極１７に接続されている。また、対向電極４は、全画素１１０…に共通の図示しない共通電極線に接続されている。これにより、画素電極１７、対向電極４、及び当該両電極間の液晶層３によって画素容量１８が形成される。
【００４６】
そして、各画素１１０において、走査信号線ＧＬｊが選択されると、スイッチング素子１６が導通し、コントロール回路１１からソースドライバ１３に入力される表示データ信号に基づいて決定される信号電圧が、階調基準電圧生成回路１２及びソースドライバ１３によりデータ信号線ＳＬｉを介して画素容量１８に印加される。画素容量１８は、走査信号線ＧＬｊの選択期間が終了してスイッチング素子１６が遮断されている間、理想的には、遮断時の電圧を保持し続ける。
【００４７】
タッチパネル駆動回路２３は、位置検出装置２４の動作を制御して位置検出を行わせるものである。また、タッチパネル駆動回路２３は位置検出用の交流電圧を出力する図示しない交流電圧発生回路を備えている。位置検出装置２４は、透明導電膜２２の複数の箇所から流れる電流に基づいて、接触点の位置を検出するものである。なお、タッチパネル駆動回路２３及び位置検出装置２４の詳細については後述する。
【００４８】
透明導電膜２２は、ガラス又は透明プラスチックからなるタッチパネル基板２１の表面に形成されており、表示パネル１０の外面である観察者側表面に接着剤などを用いて直接接着又は空気層からなる間隙を設けて装着されている。透明導電膜２２は、スパッタなどの周知の薄膜形成技術にて形成されたインジウム・錫酸化物（ＩＴＯ：Indium Tin Oxide）、インジウム・亜鉛酸化物（ＩＺＯ：Indium Zinc Oxide）、酸化錫（ＮＥＳＡ：Pittburg Plate Glass社の商品名）、酸化亜鉛等の透明導電膜である。なお、透明導電膜２２の材料及び成膜方法、膜厚は特に限定されるものではなく、公知の材料及び成膜方法を用いることができる。ただし、耐熱性・耐久性の良好な透明導電膜２２を得るためには、Ｍｇを含有するターゲットを用いてスパッタ法にて成膜することが好ましい。
【００４９】
表示装置１００においては、対向電極４と透明導電膜２２との間にシールド層は設けられておらず、対向電極４と透明導電膜２２との距離が２ｍｍ以下に設定されている。このため、従来のような、対向電極４と透明導電膜２２との間にシールド層を設けた構成、あるいは対向電極４と透明導電膜２２との間を大きくした構成に比べて、視差が小さくなっている。なお、対向電極４と透明導電膜２２との間には、基板６だけでなく、カラーフィルタ層、偏光板、位相差板等が必要に応じて配置されるが、これらの厚さは小さいので、視差に与える影響は小さい。なお、対向電極４と透明導電膜２２との距離を２ｍｍ以下にすることで、視差の影響を十分に小さくできる。
【００５０】
なお、透明導電膜２２を表示パネル１０側に配置し、タッチパネル基板２１を観察者側に配置してもよく、逆に、タッチパネル基板２１を表示パネル１０側に配置してもよい。いずれの場合も、表示パネル１０とタッチパネル２０とを別々に製造し、最後に組み合わせればよいので、歩留り、生産効率を向上できる。さらに、タッチパネル基板２１を表示パネル１０に直接接着した場合は両者の間に空気との界面が形成されないので、表示の妨げになる外光反射を低減することができる。一方、タッチパネル基板２１を表示パネル１０の外面に間隙を設けて装着する場合は、接触点の形成による押圧が表示パネル１０に直接加わり表示画像が乱れることを抑止することができる。
【００５１】
また、透明導電膜２２は、表示パネル１０の対向基板６の外面に直接形成してもよい。この構成では、表示装置１００全体の厚さを薄くできるという利点がある。
【００５２】
また、透明導電膜２２における観察者側の面にＳｉＯ２やＳｉＮＯｘ等の無機薄膜、透明樹脂の塗膜あるいはＰＥＴ、ＴＡＣ等の透明樹脂フィルムからなる保護層を形成してもよい。さらに、必要に応じて反射防止処理及び／又は防汚処理を施してもよい。
【００５３】
透明導電膜２２の位置検出領域の外周部には、電界分布の調整を目的として低抵抗の導電パターン及び外部のタッチパネル駆動回路２３に接続する為の配線パターン等（いずれも図示せず）が、周知の薄膜形成技術あるいは厚膜印刷技術等によって形成されている。
【００５４】
図５は、タッチパネル２０及び位置検出装置２４の概略構成を示す説明図である。この図に示すように、透明導電膜２２の４隅には、タッチパネル電極２５ａ〜２５ｄがそれぞれ設けられている。また、タッチパネル電極２５ａ〜２５ｄは、位置検出装置２４の端子Ｅ１〜Ｅ４にそれぞれ接続されており、タッチパネル駆動回路２３に備えられる図示しない交流電圧発生回路から位置検出用の同相同電位の交流電圧が端子Ｅ１〜Ｅ４及びタッチパネル電極２５ａ〜２５ｄを介して透明導電膜２２に供給される。なお、ここでは透明導電膜２２にタッチパネル電極を４つ備える構成としているが、これに限るものではなく、タッチパネル電極の数は少なくとも２つあれば、タッチパネル電極間の位置を求めることができる。
【００５５】
透明導電膜２２又はその観察者側に設けられた保護層の表面を、ペンや指などによって触れると、透明導電膜２２に接触点が形成される。透明導電膜２２に接触点が形成されると、透明導電膜２２がグランドである接地面と容量的に結合される。この容量とは、例えば、保護層と透明導電膜２２との間の容量、及び、操作者と地面であるグランドとの間に存在するインピーダンスが合成されたものである。
【００５６】
容量結合した接触部分と透明導電膜２２の４隅の端子との間における電気抵抗値は、接触部分と各端子との間の距離に比例する。したがって、透明導電膜２２の４隅に配置された各タッチパネル電極には、接触部分と各端子との間の距離に概ね反比例した電流が流れることになる。これらの電流の大きさの相対比を検出すれば、接触部分の位置座標を求めることができる。
【００５７】
位置座標の検出方法について、より詳しく説明する。指などの接触によって透明導電膜２２の４隅に配置したタッチパネル電極２５ａ〜２５ｄに流れる電流のそれぞれをｉ１〜ｉ４とする。なお、ここでは簡単のために、透明導電膜２２に接触点が形成されていない場合には電流が流れないものとして説明するが、後述するように実際には、接触点が形成されていないときにも浮遊容量を通じて電流が流れるので、位置検出のためには、接触点が形成されたことによる電流の変化分（増加分）を求める必要がある。
【００５８】
透明導電膜２２に対する接触位置のＸ座標及びＹ座標は、次式に基づいて決定することができる。
【００５９】
Ｘ＝ｋ１＋ｋ２・（ｉ２＋ｉ３）／（ｉ１＋ｉ２＋ｉ３＋ｉ４）    （式１）
Ｙ＝ｋ１＋ｋ２・（ｉ１＋ｉ２）／（ｉ１＋ｉ２＋ｉ３＋ｉ４）    （式２）
あるいは、以下の計算式を用いてもよい。
【００６０】
Ｘ＝ｋ１＋ｋ２・［ｉ２／（ｉ２＋ｉ４）＋ｉ３／（ｉ１＋ｉ３）］  （式３）
Ｙ＝ｋ１＋ｋ２・［ｉ１／（ｉ１＋ｉ３）＋ｉ２／（ｉ２＋ｉ４）］  （式４）
ここで、Ｘは透明導電膜２２上における接触位置のＸ座標、Ｙは透明導電膜２２上における接触位置のＹ座標である。また、ｋ１はオフセット（出力座標を原点とする場合は０）、ｋ２は倍率である。ｋ１及びｋ２は、操作者のインピーダンスに依存しない定数である。
【００６１】
位置検出領域のセンターを原点とすると、（式１）〜（式４）は、それぞれ（式５）〜（式８）のように表すことができる。
【００６２】
Ｘ＝ｋ・（ｉ２＋ｉ３−ｉ１−ｉ４）／（ｉ１＋ｉ２＋ｉ３＋ｉ４）    （式５）
Ｙ＝ｋ・（ｉ１＋ｉ２−ｉ３−ｉ４）／（ｉ１＋ｉ２＋ｉ３＋ｉ４）    （式６）
Ｘ＝ｋ・［（ｉ２−ｉ４）／（ｉ２＋ｉ４）−（ｉ１−ｉ３）／（ｉ１＋ｉ３）］  （式７）
Ｙ＝ｋ・［（ｉ１−ｉ３）／（ｉ１＋ｉ３）＋（ｉ２−ｉ４）／（ｉ２＋ｉ４）］  （式８）
したがって、透明導電膜２２に対する接触位置は、４つのタッチパネル電極２５ａ〜２５ｄを流れる電流ｉ１〜ｉ４の測定値から求めることができる。なお、前記の計算式だけで十分な座標精度が得られない場合は、必要に応じてさらに高次の補正計算を行ってもよい。
【００６３】
次に、位置検出装置２４の構成について説明する。位置検出装置２４は、透明導電膜２２に備えられた複数のタッチパネル電極から流れる電流を検出し、検出された電流（接触点の形成による変化）に基づいて透明導電膜２２に対する接触点の位置データを生成するものである。
【００６４】
図６は、位置検出装置２４の一構成例を示すブロック図である。この図に示すように、位置検出装置２４は、それぞれ端子Ｅ１〜Ｅ４に対応して設けられた電流検出回路３１ａ〜３１ｄ、ゲート回路３２ａ〜３２ｄ、検波フィルタリング回路３３ａ〜３３ｄ、サンプルホールド回路３４ａ〜３４ｄと、アナログマルチプレクサ３５と、Ａ／Ｄ変換器３６と、処理装置３７とを備えている。
【００６５】
電流検出回路３１ａ〜３１ｄは、端子Ｅ１〜Ｅ４に流れる電流を検出し電流信号をゲート回路３２ａ〜３２ｄに出力するものである。より詳細には、電流検出回路３１ａ〜３１ｄは、透明導電膜２２の４つの端子Ｅ１〜Ｅ４の各々とグランドとの間を流れる電流を測定する。透明導電膜２２には、位置検出用の交流電圧が印加されているため、指などの接触によって各端子Ｅ１〜Ｅ４を流れる電流は交流成分を有している。
【００６６】
ゲート回路３２ａ〜３２ｄには、電流検出回路３１ａ〜３１ｄから出力される前記電流信号と、コントロール回路１１から出力されるゲート信号とが入力される。そして、入力されたゲート信号に基づいて、画像表示の非表示期間における所定の期間（位置検出期間）には電流検出回路３１ａ〜３１ｄから入力された電流信号を検波フィルタリング回路３３ａ〜３３ｄに出力し、その他の期間は検波フィルタリング回路３３ａ〜３３ｄへの出力を行わない。したがって、表示装置１００では、前記所定の期間にのみ位置検出が行われる。なお、この所定の期間における処理の詳細については後述する。
【００６７】
検波フィルタリング回路３３ａ〜３３ｄは、電流検出回路３１ａ〜３１ｄからゲート回路３２ａ〜３２ｄを介して入力された電流信号を検波するものである。検波フィルタリング回路３３ａ〜３３ｄは、例えば半波整流回路、全波整流回路、あるいは同期検波回路（交流電圧発生回路の周波数をレファレンスとする）を含む。同期検波回路はＣＲフィルタ又はＬＣフィルタと比べて周波数弁別能力が高い。また、検波フィルタリング回路３３ａ〜３３ｄは、受け取ったノイズカット電流信号に含まれている周波数成分から、交流電圧発生回路の周波数と異なる周波数の様々なノイズを除去するためにフィルタリング（帯域制限）を行う。
【００６８】
検波フィルタリング回路３３ａ〜３３ｄから出力された信号は、サンプルホールド回路３４ａ〜３４ｄに入力され、所定の期間保持される。サンプルホールド回路３４ａ〜３４ｄは、外部から供給されるホールド信号に同期して保持した信号を、アナログマルチプレクサ３５を介してＡ／Ｄ変換器３６に送る。なお、アナログマルチプレクサ３５及びＡ／Ｄ変換器３６は、４つのサンプルホールド回路３４ａ〜３４ｄに共通に設けられている。
【００６９】
このように、サンプルホールド回路３４ａ〜３４ｄを設けることによって、複数のチャンネル（ここでは４チャンネル）の電流信号を１つのＡ／Ｄ変換器３６を用いて順次処理できるので、装置の構成を簡略化でき、コストを低減することができる。また、Ａ／Ｄ変換器３６を共有することにより、Ａ／Ｄ変換器３６を各チャンネル毎に設けるよりもチャンネル間のバラツキを低減することができ、位置検出精度を向上させることができる。
【００７０】
このサンプルホールド動作は、コントロール回路１１からサンプルホールド回路３４ａ〜３４ｄに供給されるホールド信号に応じたタイミングで行われる。コントロール回路１１は、例えば、サンプルホールド動作を表示パネル１０に供給される垂直同期信号ＶＳＹＣに同期させて行わせるように前記のホールド信号を生成する。なお、Ａ／Ｄ変換器３６の変換速度が十分速ければサンプルホールド回路３４ａ〜３４ｄを省略してもよい。
【００７１】
アナログマルチプレクサ３５は、４つの端子Ｅ１〜Ｅ４からの電流信号に対応する出力をＡ／Ｄ変換器３６に送出する。Ａ／Ｄ変換器３６は、デジタル化された電流信号（デジタル化電流データ）を生成し、処理装置３７に送出する。ここでいうデジタル化電流データとは、例えば上述した式１及び式２のｉ１〜ｉ４を直流電圧値に変換し、これらをさらにデジタル化したものを指す。
【００７２】
処理装置３７は、これらの値を用いて、前記式１及び式２に基づいて接触点の座標Ｘ，Ｙを求め、接触点を形成した操作者による入力命令を判断し、所定のデータ処理などを行う。例えば、タッチパネルに何も接触していないときつまりスタイラスが接触していないときの検出信号と、接触したときの検出信号との差に基づいて、接触位置の位置座標を検出する。処理装置３７は、例えば、表示装置１００を備えたカーナビゲーション装置、携帯型情報端末（ＰＤＡ：Personal Digital Assistants等）、ＡＴＭ（Aautomated Teller Machine）、券売機、ゲーム機、各種タッチパネル付き表示装置等、あるいは各種コンピュータ内部に搭載され、データ処理を実行する。
【００７３】
なお、位置検出装置２４が生成する位置データは前記の例に限られるものではない。位置検出装置２４が、例えば、前記デジタル化された直流電圧値を用いてＸＹ座標を求めて、これを位置データとして出力してもよい。
【００７４】
次に、表示装置１００における画像表示動作及び位置検出動作について説明する。
【００７５】
図１は、対向電極駆動制御信号、対向電極駆動信号、タッチパネル駆動制御信号、タッチパネル駆動信号、ゲート信号、及びホールド信号の波形図である。
【００７６】
この図１に示すように、表示期間中には、コントロール回路１１が、対向電極駆動回路１５に対向電極４に印加する電位の極性を１水平同期期間毎に反転させるための対向電極駆動制御信号（図１の例ではローレベルの信号）を出力し、対向電極駆動回路１５がこの対向電極駆動制御信号に応じて対向電極４に印加する電位の極性を１水平同期期間毎に反転させる。なお、図１の例では、正の電位であるＶａと負の電位であるＶｂとに極性反転されている。ここで、Ｖａ及びＶｂの絶対値（Ｖａ及びＶｂと基準電位（グランド電位）との差の絶対値）は同じであってもよく、異なっていてもよい。また、水平同期周波数及び垂直同期周波数は特に限定されるものではないが、一例としては、水平同期周波数は１５．７５ｋＨｚ（ＮＴＳＣ、ＥＧＡ、ＱＶＧＡ）あるいは３１．５ｋＨｚ（ＶＧＡ、ワイドＶＧＡ）であり、垂直同期周波数は６０Ｈｚである。また、垂直帰線期間は例えば１．１４ｍｓである。
【００７７】
非表示期間である垂直帰線期間になると、コントロール回路１１は、アクティブ信号としての対向電極駆動制御信号及びタッチパネル駆動制御信号を、各々の対向電極駆動回路１５及びタッチパネル駆動回路２３に出力する。
【００７８】
この、非表示期間中に出力される各々のアクティブ信号は、対向電極駆動回路１５及びタッチパネル駆動回路２３から各々対向電極４及びタッチパネル２０の透明導電膜２２に印加される波形が、互いに同じ波形になるように、前記両回路を制御することをその内容とする。
【００７９】
そして、アクティブ信号としての前記対向電極駆動制御信号及びタッチパネル駆動制御信号を受信した対向電極駆動回路１５及びタッチパネル駆動回路２３は、各々対向電極４及びタッチパネル２０の透明導電膜２２に対して、同じ波形の信号を印加する。
【００８０】
これによって、非表示期間中には、対向電極４に印加される信号である対向電極駆動信号と、タッチパネル２０の透明導電膜２２に印加される信号であるタッチパネル駆動信号とが同電位となり、対向電極４と透明導電膜２２との間に電位差がなくなる。
【００８１】
本実施の形態の表示装置１００では、対向電極４とタッチパネル２０の透明導電膜２２とが、同じ電位になっているので、対向電極４と透明導電膜２２との電位差に起因してタッチパネル２０に生じる誘起電圧を、位置検出精度を低下させない程度に小さくすることができる。原理的には、前記誘起電圧を小さくするのみならず、ゼロにすることも可能となる。したがって、位置検出精度を高めることができる。
【００８２】
以下、非表示期間の信号について詳述する。
【００８３】
前記コントロール回路１１は、非表示期間中において一定時間（Ｔ１）経過後、前記対向電極駆動信号とタッチパネル駆動信号とを同一信号にする起点を規定する信号（アクティブ信号）として、対向電極駆動制御信号とタッチパネル駆動制御信号とを（図１の例では、いずれもハイレベルの信号）、各々対向電極駆動回路１５及びタッチパネル駆動回路２３に出力する。
【００８４】
そして、前記アクティブ信号であるハイレベルのタッチパネル駆動制御信号を受信したタッチパネル駆動回路２３は、図示しない交流電圧発生回路から、透明導電膜２２に備えられた各タッチパネル電極２５ａ〜２５ｄに対して、位置検出用タッチパネル駆動信号としての交流信号である正弦波信号を供給する。
【００８５】
一方、前記アクティブ信号であるハイレベルの対向電極駆動制御信号を受信した対向電極駆動回路１５は、対向電極４に対して、前記位置検出用タッチパネル駆動信号である交流信号と同じ波形の信号を供給する。
【００８６】
これによって、前記Ｔ１経過後、対向電極４の電位とタッチパネル２０の透明導電膜２２の電位とが同じになる。
【００８７】
そして、コントロール回路１１は、前記アクティブ信号としてのアタッチパネル駆動信号を出力するのと同時に、各ゲート回路３２ａ〜３２ｄに出力するゲート信号をアクティブ信号（図１の例ではハイレベル）にする。これによって、電流検出回路３１ａ〜３１ｄの出力する前記電流信号がゲート回路３２ａ〜３２ｄを介して検波フィルタリング回路３３ａ〜３３ｄに出力される。
【００８８】
その後、コントロール回路１１は、サンプルホールド回路３４ａ〜３４ｄにホールド信号を出力する。各サンプルホールド回路３４ａ〜３４ｄは、ホールド信号に応じたタイミングでサンプルホールド動作を行い、アナログマルチプレクサ３５に順次出力する。アナログマルチプレクサ３５は入力された電流信号をＡ／Ｄ変換器３６に順次送出し、Ａ／Ｄ変換器３６は入力された電流信号をデジタル化して処理装置３７に送出する。そして、処理装置３７によって位置検出処理が行われる。
【００８９】
以上のように、本実施の形態の表示装置１００は、表示期間中に対向電極４に印加する電位の極性を例えば１水平同期期間等の一定周期毎に反転させる一方、非表示期間中における所定の期間に対向電極４に印加する電位を、タッチパネル２０の透明導電膜２２の電位と同じにする。そして、この所定の期間においてタッチパネルによる位置検出処理を行う。
【００９０】
したがって、位置検出処理を行う期間には対向電極４の電位がタッチパネル２０の透明導電膜２２の電位と同じになっているので、透明導電膜２２において表示パネル１０の駆動に伴う誘起電圧が生じることを防止し、それに伴う位置検出精度の低下を抑制できる。
【００９１】
また、表示装置１００では、前記所定の期間にのみ、透明導電膜２２に備えられた各タッチパネル電極２５ａ〜２５ｄに位置検出用の同相同電位の交流電圧（タッチパネル駆動信号）を供給するようになっている。したがって、タッチパネル駆動信号を常時供給する場合よりも消費電力を低減できる。
【００９２】
さらに、表示装置１００では、タッチパネル駆動信号が供給されている期間にのみ、電流検出回路３１ａ〜３１ｄの検出した電流信号が検波フィルタリング回路３３ａ〜３３ｄ、サンプルホールド回路３４ａ〜３４ｄ、アナログマルチプレクサ３５、Ａ／Ｄ変換器３６、処理装置３７へと送られ、その他の期間はゲート回路３２ａ〜３２ｄによって電流信号が遮断される。つまり、ゲート回路３２ａ〜３２ｄによって電流信号の取り込みが遮断される。したがって、電流検出回路３１ａ〜３１ｄからの電流信号が処理装置３７へと常時送られる場合よりも消費電力を低減できる。
【００９３】
なお、図１の例では、非表示期間になった後、所定の時間（Ｔ１）が経過した後に対向電極４の電位と、タッチパネル２０の透明導電膜２２の電位とが同じにされている。また、非表示期間が終了する時刻より所定の時間（Ｔ２）だけ前から対向電極４及び透明導電膜２２とも、前記表示期間における電位に戻されている。具体的には、対向電極４には、を１水平同期期間毎に極性反転させた信号が印加され、透明導電膜２２には、定電圧が印加されている。ここで、前記の時間Ｔ１及びＴ２は、前記所定の期間を、位置検出を行うために十分な期間にするように適宜設定すればよい。
【００９４】
また、前記表示期間における信号から、非表示期間における信号からの切替え、及び、その逆の切替えにおいて、この切替えのタイミングが一定のタイミングで実施されることが重要である。一定のタイミングとしては、例えば、前記Ｔ１が、フィールド毎で変化しないことや、対向電極駆動信号の切替えとタッチパネル駆動信号の切替えとが同一タイミングであることなどである。前記タイミングがずれることによって、フィールド期間毎に容量結合の値が変わり、位置検出精度が低下するおそれがあるためである。
【００９５】
なお、本実施の形態では、前記のように、対向電極の電位をタッチパネル２０の透明導電膜２２の電位と同じにすることによって、対向電極の電位の変化に起因して透明導電膜２２に生じる誘起電圧を小さくし、この誘起電圧による位置検出精度の低下を防止できる。なお、前記所定の期間では、対向電極４の極性が反転しないことが好ましい。
【００９６】
また、本実施形態では、表示パネル１０としてアクティブマトリクス型液晶パネルを用いる場合を例示したが、本実施形態に使用される表示パネル１０はこれに限定されるものではない。表示パネル１０が備える対向電極に、極性の周期的な反転を伴う共通電圧が印加されるものであれば、任意の表示パネルが利用可能である。例えば、液晶層（光学変調層）３に代えて、電気泳動性を示す媒質からなる光学変調層を用いてもよい。つまり、表示パネル１０は、液晶表示パネルであってもよく、電気泳動層を有する電気泳動表示パネルであってもよい。
【００９７】
また、本実施形態では主に、表示期間中に対向電極４の電位をライン反転駆動（１水平同期期間毎に反転）する場合について説明したが、これに限るものではなく、例えば、２ライン反転（２Ｈ反転）に適用することもできる。
【００９８】
また、本実施形態では、対向電極が画素電極とは異なる基板に備えられた構成について説明したが、これに限るものではない。例えば、同一基板上に画素電極と対向電極とを備えた構成であってもよい。この場合にも、対向電極の電位を、非表示期間中おける所定の期間に、タッチパネル２０の透明導電膜２２の電位と同じにすることによって、同様の効果が得られる。
【００９９】
また、本実施形態のタッチパネル駆動信号は、正弦波が好ましいものの、特に限定されず、他の波形においても同様の効果を得ることができる。
【０１００】
また、本実施形態にかかる表示装置に備えられるタッチパネルは、指やペン等の接触による電気的特性の変化を利用して位置検出を行うものであれば特に限定されない。
【０１０１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０２】
本発明は、タッチパネルを備えた表示装置に適用できる。例えば、カーナビゲーション装置、携帯型情報端末（ＰＤＡ等）、ＡＴＭ、券売機、各種自動販売機、ゲーム機等に適用できる。
【図面の簡単な説明】
【０１０３】
【図１】本発明の一実施形態の表示装置における、画像表示動作及び位置検出動作に関する信号の波形図である。
【図２】上記表示装置に備えられる表示パネル及びタッチパネルの概略構成を示す斜視図である。
【図３】（ａ）は、上記表示装置に備えられる表示パネル及びその駆動装置の構成をブロック図であり、（ｂ）は、表示パネルの配線を示す概略図である。
【図４】上記表示装置に備えられる表示パネルにおける各画素の等価回路図である。
【図５】上記表示装置に備えられるタッチパネル及び位置検出装置の概略構成を示す説明図である。
【図６】上記表示装置に備えられる位置検出装置の構成を示すブロック図である。
【図７】従来のタッチパネル付き表示装置における、対向電極の電位と、この対向電極の電位の極性反転によってタッチパネルの透明導電膜に生じる誘起電圧との関係を示した説明図である。
【符号の説明】
【０１０４】
１    基板
２    ＴＦＴアレイ層
３    液晶層（光学変調層）
４    対向電極
５    カラーフィルタ層
６    基板
１０    表示パネル
１１    コントロール回路
１２    階調基準電圧生成回路
１３    ソースドライバ
１４    ゲートドライバ
１５    対向電極駆動回路（対向電極駆動手段）
１６    スイッチング素子
１７    画素電極
１８    画素容量
２０    タッチパネル
２１    タッチパネル基板
２２    透明導電膜
２３    タッチパネル駆動回路（タッチパネル駆動手段）
２４    位置検出装置（位置検出手段）
２５ａ〜２５ｄ  タッチパネル電極
３１ａ〜３１ｄ  電流検出回路
３２ａ〜３２ｄ  ゲート回路（電流信号遮断手段）
３３ａ〜３３ｄ  検波フィルタリング回路
３４ａ〜３４ｄ  サンプルホールド回路
３５    アナログマルチプレクサ
３６    Ａ／Ｄ変換器
３７    処理装置
１００  表示装置
１１０  各画素
Ｅ１〜Ｅ４  端子
【図１】
2007334606.tif 000003
【図２】
2007334606.tif 000004
【図３】
2007334606.tif 000005
【図４】
2007334606.tif 000006
【図５】
2007334606.tif 000007
【図６】
2007334606.tif 000008
【図７】
2007334606.tif 000009